【手続補正書】
【提出日】平成18年6月30日(2006.6.30)
【手続補正１】
【補正対象書類名】明細書
【補正対象項目名】発明の名称
【補正方法】変更
【補正の内容】
【発明の名称】通信機能付き撮像装置およびその制御方法
【手続補正２】
【補正対象書類名】明細書
【補正対象項目名】特許請求の範囲
【補正方法】変更
【補正の内容】
【特許請求の範囲】
【請求項１】  外部機器と通信を行うための通信手段と、
被写体を撮像する撮像手段と、
前記通信手段により前記外部機器からの着信を受けた場合に、複数の報知形態のうち少なくとも１つの報知形態で報知する報知手段と、
前記撮像手段が動作中であるか否かに応じて自動的に前記報知形態を選択して報知を行うか、前記撮像手段が動作中であるか否かにかかわらず予め選択された報知形態で報知を行うかを設定する設定手段と、
前記設定手段による設定に基づき前記報知手段による報知を制御する制御手段と、
を有することを特徴とする通信機能付き撮像装置。
【請求項２】  前記報知手段の複数の報知形態は、バイブレーションにより着信を報知する報知形態を含み、
前記制御手段は、前記設定手段により自動的に報知形態を選択するよう設定されている場合であって、前記撮像手段の動作中に前記着信を受けた場合には、前記バイブレーションによる報知を行わないよう制御することを特徴とする請求項１に記載の通信機能付き撮像装置。
【請求項３】  前記報知手段の複数の報知形態は、音により着信を報知する報知形態を含み、
前記制御手段は、前記設定手段により自動的に報知形態を選択するよう設定されている場合であって、前記撮像手段の動作中に前記着信を受けた場合には、前記音による報知を行わないよう制御することを特徴とする請求項１に記載の通信機能付き撮像装置。
【請求項４】  前記撮像手段により撮像した被写体像を表示する表示手段を有し、
前記報知手段の複数の報知形態は、着信を受けた旨を前記表示部に表示することによる報知形態を含み、
前記制御手段は、前記設定手段により自動的に報知形態を選択するよう設定されている場合であって、前記撮像手段の動作中に前記着信を受けた場合には、前記表示による報知形態で報知を行うよう制御することを特徴とする請求項２乃至３に記載の通信機能付き撮像装置。
【請求項５】  前記表示手段が収納されているか否かを検出する検出手段を有し、
前記制御手段は、前記設定手段による設定及び前記検出手段による検出結果に応じて制御を行うことを特徴とする請求項１に記載の通信機能付き撮像装置。
【請求項６】  外部機器と通信を行うための通信手段と、被写体を撮像する撮像手段と、前記通信手段により前記外部機器からの着信を受けた場合に、複数の報知形態のうち少なくとも１つの報知形態で報知する報知手段とを有する通信機能付き撮像装置の制御方法であって、
前記撮像手段が動作中であるか否かに応じて自動的に前記報知形態を選択して報知を行うか、前記撮像手段が動作中であるか否かにかかわらず予め選択された報知形態で報知を行うかを設定する設定工程と、
前記設定工程での設定に基づき前記報知手段による報知を制御する制御工程と、
を有することを特徴とする通信機能付き撮像装置の制御方法。
【手続補正３】
【補正対象書類名】明細書
【補正対象項目名】０００１
【補正方法】変更
【補正の内容】
【０００１】
【発明の属する技術分野】
本発明は、通信機能付き撮像装置およびその制御方法に関する。
【手続補正４】
【補正対象書類名】明細書
【補正対象項目名】０００８
【補正方法】変更
【補正の内容】
【０００８】
本発明の目的は、撮影を妨害することなく、撮影動作中の着信を報知することができる通信機能付き撮像装置およびその制御方法を提供することにある。
【補正の内容】
【手続補正５】
【補正対象書類名】明細書
【補正対象項目名】０００９
【補正方法】変更
【補正の内容】
【０００９】
【課題を解決するための手段】
本発明は、上記目的を達成するため、外部機器と通信を行うための通信手段と、被写体を撮像する撮像手段と、前記通信手段により前記外部機器からの着信を受けた場合に、複数の報知形態のうち少なくとも１つの報知形態で報知する報知手段と、前記撮像手段が動作中であるか否かに応じて自動的に前記報知形態を選択して報知を行うか、前記撮像手段が動作中であるか否かにかかわらず予め選択された報知形態で報知を行うかを設定する設定手段と、前記設定手段による設定に基づき前記報知手段による報知を制御する制御手段と、を有することを特徴とする通信機能付き撮像装置を提供する。
【手続補正６】
【補正対象書類名】明細書
【補正対象項目名】００１０
【補正方法】変更
【補正の内容】
【００１０】
本発明は、上記目的を達成するため、外部機器と通信を行うための通信手段と、被写体を撮像する撮像手段と、前記通信手段により前記外部機器からの着信を受けた場合に、複数の報知形態のうち少なくとも１つの報知形態で報知する報知手段とを有する通信機能付き撮像装置の制御方法であって、前記撮像手段が動作中であるか否かに応じて自動的に前記報知形態を選択して報知を行うか、前記撮像手段が動作中であるか否かにかかわらず予め選択された報知形態で報知を行うかを設定する設定工程と、前記設定工程での設定に基づき前記報知手段による報知を制御する制御工程と、を有することを特徴とする通信機能付き撮像装置の制御方法を提供する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】０１００
【補正方法】変更
【補正の内容】
【０１００】
【発明の効果】
以上説明したように、本発明によれば、撮影を妨害することなく、撮影動作中の着信を報知することができる。
【手続補正２０】
【補正対象書類名】明細書
【補正対象項目名】０１０１
【補正方法】削除
【補正の内容】
【手続補正２１】
【補正対象書類名】明細書
【補正対象項目名】０１０２
【補正方法】削除
【補正の内容】
【手続補正２２】
【補正対象書類名】明細書
【補正対象項目名】０１０３
【補正方法】削除
【補正の内容】
【手続補正２３】
【補正対象書類名】明細書
【補正対象項目名】０１０４
【補正方法】削除
【補正の内容】
【手続補正２４】
【補正対象書類名】明細書
【補正対象項目名】０１０５
【補正方法】削除
【補正の内容】
【手続補正２５】
【補正対象書類名】明細書
【補正対象項目名】０１０６
【補正方法】削除
【補正の内容】
【手続補正２６】
【補正対象書類名】明細書
【補正対象項目名】０１０７
【補正方法】削除
【補正の内容】
【手続補正２７】
【補正対象書類名】明細書
【補正対象項目名】０１０８
【補正方法】削除
【補正の内容】
【手続補正２８】
【補正対象書類名】明細書
【補正対象項目名】０１０９
【補正方法】削除
【補正の内容】
【手続補正２９】
【補正対象書類名】明細書
【補正対象項目名】０１１０
【補正方法】削除
【補正の内容】
【手続補正３０】
【補正対象書類名】明細書
【補正対象項目名】０１１１
【補正方法】削除
【補正の内容】